(57)【要約】【課題】簡単にかつ迅速に桁設計図を作成できる船殻桁形状設計図作成システムを提供すること。【解決手段】本発明の船殻桁形状設計図作成システムは、演算部（２）と、表示部（４）と、桁の形状の作図パターンを含むパターンテーブル（３２、３３、３４、３５）を記憶している記憶部（３）と、を具備する。表示部（４）は、桁を設置する部分の図面を表示する。演算部（２）は、選択された作図パターンの情報をパターンテーブル（３２、３３、３４、３５）から抽出し、桁を設置する部分の図面に合わせて、表示部（４）の画面上で作図して、表示部（４）が表示するように制御する。【選択図】　図２
2004046520.tif 000002
【特許請求の範囲】
【請求項１】
演算部と、
表示部と、
桁の形状の作図パターンを含むパターンテーブルを記憶している記憶部と、
を具備し、
前記表示部は、桁を設置する部分の図面を表示し、
前記演算部は、選択された作図パターンの情報を前記パターンテーブルから抽出し、前記桁を設置する部分の図面に合わせて、前記作図パターンを前記表示部の画面上に作図し、前記表示部で表示するように制御する、
船殻桁形状設計図作成システム。
【請求項２】
演算部と、
表示部と、
桁の形状の作図パターンを含むパターンテーブルを記憶している記憶部と、
を具備し、
前記表示部は、桁を設置する部分の図面を表示し、
前記演算部は、選択された作図パターンの情報を前記パターンテーブルから抽出し、前記選択された作図パターンにパラメータの入力が必要な場合に、パラメータを入力する入力欄を表示するように前記表示部を制御し、抽出された前記作図パターンの情報と入力された前記パラメータにより前記選択された作図パターンを、前記桁を設置する部分に合わせて、前記表示部の画面上で作図して、前記表示部で表示するように制御する、
船殻桁形状設計図作成システム。
【請求項３】
前記作図パターンは、桁形状パターン、辺形状パターン、コーナ形状パターン、端部形状パターンの少なくともいずれかを含む、
請求項１または２のいずれかに記載された船殻桁形状設計図作成システム。
【請求項４】
前記作図パターンは、桁形状パターン、辺形状パターン、コーナ形状パターン、端部形状パターンを含み、
桁形状パターン、辺形状パターン、コーナ形状パターン、端部形状パターンの階層順に作図パターンが選択される、
請求項１または２のいずれかに記載された船殻桁形状設計図作成システム。
【請求項５】
前記記憶部は、階層毎に選択された作図パターンの組み合わせを記憶し、
演算部は、選択により前記組み合わせを読み出して、前記表示部に表示するように制御する、
請求項４に記載された船殻桁形状設計図作成システム。
【請求項６】
前記作図パターンは、所定の基準に対して作図され、作図された前記作図パターンは前記基準に対する関係を含む属性を持ち、
前記所定の基準が変更された場合、前記演算部は、前記属性に含まれる情報から、変更された基準を基に前記作図された作図パターンを修正して、前記表示部に表示するように制御する、
請求項１〜５のいずれかに記載された船殻桁形状設計図作成システム。
【請求項７】
前記所定の基準は、前記表示部の画面に表示されている前記桁を設置する部分の線図もしくは線図の属性データである、
請求項６に記載された船殻桁形状設計図作成システム。
【発明の詳細な説明】
【０００１】
【発明の属する技術分野】
本発明は、設計図作成システムに関し、特に船殻桁形状設計図作成システムに関する。
【０００２】
【従来の技術】
船舶の船殻には、補強のために多数の桁が設置される。桁はハルの形状や設置する場所により形状が異なるので、桁の設計図は船全体の設計図または概要図を基に、場所毎に２次元ＣＡＤまたは手書きにより作成される。
船舶の設計における船殻の桁の設計図の作成は、桁数が多いことから作図量が多く、時間的、コスト的にネックとなっている。
また、基となる船全体の設計図または概要図の一部に設計変更があった場合、多数の桁設計図を修正する必要がある。例えば、デッキの板厚が変更になった場合、そのデッキと取り合いを持つ桁の図面全てを修正しなければならない場合がある。
さらに、船舶の設計図では、板厚を表示しない線で部材を表示する場合が多く、板かわし（表示線に対して板厚をどのようにとるかの取決め）を設計者が任意に決める場合がある。このため、板かわしの変更によっても多数の桁設計図を、修正する必要が発生する。
【０００３】
船殻の桁の設計図を簡単にかつ迅速に作成することができることが望まれる。関係箇所に多少の設計変更があっても、自動的に修正されるように線図が属性データを持つ設計図が好ましい。
【０００４】
【発明が解決しようとする課題】
本発明の目的は、簡単にかつ迅速に桁設計図を作成できる船殻桁形状設計図作成システムを提供することにある。
本発明の他の目的は、桁の設計図に関係を持つ部位に設計変更があった場合、容易に関係する桁設計図の修正をすることができる船殻桁形状設計図作成システムを提供することにある。
【０００５】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００６】
本発明の船殻桁形状設計図作成システムは、演算部（２）と、表示部（４）と、桁の形状の作図パターンを含むパターンテーブル（３２、３３、３４、３５）を記憶している記憶部（３）と、を具備する。
表示部（４）は、桁を設置する部分の図面を表示し、演算部（２）は、選択された作図パターンの情報をパターンテーブル（３２、３３、３４、３５）から抽出し、桁を設置する部分の図面に合わせて、表示部（４）の画面上で作図して、表示部（４）が表示するように制御する。
【０００７】
本発明の船殻桁形状設計図作成システムは、演算部（２）と、表示部（４）と、桁の形状の作図パターンを含むパターンテーブル（３２、３３、３４、３５）を記憶している記憶部（３）と、を具備する。
表示部（４）は、桁を設置する部分の図面を表示し、演算部（２）は、選択された作図パターンの情報をパターンテーブル（３２、３３、３４、３５）から抽出し、選択された作図パターンにパラメータの入力が必要な場合に、パラメータを入力する入力欄を表示するように表示部（２）を制御し、抽出された作図パターンの情報と入力されたパラメータにより選択された作図パターンを、桁を設置する部分の図面に合わせて、表示部（２）の画面上で作図して、表示部（２）が表示するように制御する。
【０００８】
上記作図パターンは、桁形状パターン、辺形状パターン、コーナ形状パターン、端部形状パターンの少なくとも何れかを含む。
【０００９】
上記作図パターンは、桁形状パターン、辺形状パターン、コーナ形状パターン、端部形状パターンを含み、桁形状パターン、辺形状パターン、コーナ形状パターン、端部形状パターンの階層順に作図パターンが選択される場合がある。
【００１０】
記憶部（３）は、階層毎に選択された作図パターンの組み合わせを記憶し、演算部（２）は、選択により組み合わせを読み出して、表示部（２）に表示するように制御することができることが好ましい。
【００１１】
作図パターンは、所定の基準に対して作図され、作図された作図パターンは基準に対する関係を含む属性を持ち、所定の基準が変更された場合、演算部（２）は、属性に含まれる情報から、変更された基準を基に作図された作図パターンを修正して、表示（４）部に表示するように制御することができることが好ましい。
【００１２】
上記所定の基準は、表示部（４）の画面に表示されている桁を設置する部分の線図もしくは線図の属性データである。
【００１３】
【発明の実施の形態】
添付図面を参照して、本発明による船殻桁形状設計図作成システムの実施の形態を以下に説明する。図１に船殻桁形状設計図作成システムの構成が示される。
船殻桁形状設計図作成システム１は、演算部２、記憶部３、表示部４、入力部５を具備する。
演算部２は、コンピュータ本体に代表され、ＣＰＵ２１を含む。演算部２は、記憶部３から船舶用ＣＡＤプログラム３１を読み出し、実行することができる。
記憶部３は、ハードディスクなどに代表され、船舶用ＣＡＤプログラム３１、桁形状パターンテーブル３２、辺形状パターンテーブル３３、コーナ形状パターンテーブル３４、端部形状パターンテーブル３５、船舶全体図３６を記憶している。
表示部４は、モニタに代表される。
入力部５は、マウス、キーボードに代表される。
【００１４】
船舶用ＣＡＤプログラム３１は、表示部４上で作図を行なうためのＣＡＤプログラムに代表される。
演算部２は、船舶用ＣＡＤプログラム３１により、ＣＡＤで作成された船舶全体図３６から、桁作図に必要な部分の主要部材の図面を抽出して表示部４に表示させることができる。船舶用ＣＡＤプログラム３１は、船舶全体図３６を作図するためのプログラムを含んでいる場合がある。
また、演算部２は、船舶用ＣＡＤプログラム３１により、桁形状パターンテーブル３２、辺形状パターンテーブル３３、コーナ形状パターンテーブル３４、端部形状パターンテーブル３５から必要な情報を抽出し、テーブルの一部を画面上に表示することができる。さらに、演算部２は、船舶用ＣＡＤプログラム３１により、使用者により選択されたテーブル内のパターンを、桁を設置する画面に表示された主要部材に合わせて作図することができる。
さらに、演算部２は、船舶用ＣＡＤプログラム３１により、使用者が作図されるパターンまたは線図にパラメータを入力することで、桁を設置する場所の線図などの所定の基準（主要部材の線図を含む）からパラメータに基づいてパターンを作図することができ、さらにパターンまたは線図にパラメータを属性付けすることができる。演算部２は、船舶用ＣＡＤプログラム３１により、所定の基準（主要部材の線図を含む）が変更された場合に、関係するパターンまたは線図を、当該属性付けされたパラメータにより、変更された基準に合わせて、自動的にまたは指定により変更することができる。
【００１５】
桁形状パターンテーブル３２の例が、図１０に示される。
桁形状パターンテーブル３２は、番号、図、パラメータ、説明を含む。番号毎に、桁形状のパターンが登録され、当該パターンに必要なパラメータ、説明が各欄に記載されている。桁形状パターンは、上辺、下辺、左側辺、右側辺に対して全ての辺に桁を設置するパターン、上辺、左側辺、右側辺に対して桁を設置するパターン、上辺と一方の側辺に桁を設置するパターン、いずれか一辺に桁を設置するパターンなどを含む。これらのパターンは過去の設計履歴から抽出されたもので、桁形状パターンテーブル３２に典型的なパターンが記憶されている。さらに、桁形状パターンテーブル３２の各パターンは、選択された時に画面上に既に表示されている線図に合わせてパターンを作図するためのデータを含んでいる。
【００１６】
辺形状パターンテーブル３３の例が図１１に示される。
辺形状パターンテーブル３３は、番号、図、パラメータ、説明を含む。番号毎に、桁の辺形状のパターンが登録され、各パターンに必要なパラメータ、説明が各欄に記載されている。辺形状パターンは、基準線から一定距離で線を引くパターン、基準点から指定する半径で引いた円周のパターン、指定した点と点を結ぶパターン、指定した点を通る垂直な線のパターン、指定した点を通る水平な線のパターン、指定した点を通り基準線の接線に平行な直線のパターン、複数の点を結ぶ直線及び曲線のパターンなど多数を含む。これらのパターンは過去の設計履歴から抽出されたもので、辺形状パターンテーブル３３に典型的なパターンが記憶されている。さらに、辺形状パターンテーブル３３の各パターンは、選択された時に既に表示されている線図に合わせて画面上にパターンを作図するためのデータを含んでいる。
【００１７】
コーナ形状パターンテーブル３４の例が図１２に示される。
コーナ形状パターンテーブル３４は、番号、図、パラメータ、説明を含む。番号毎に、桁のコーナ形状のパターンが登録され、各パターンに必要なパラメータ、説明が各欄に記載されている。コーナ形状パターンは、基準点から指定する半径で引いた円周のパターン、基準点から指定する長径と短径で引いた楕円のパターン、円弧と直線の組み合わせのパターン、円弧で端部の接線の角度を指定するパターン、など多数を含む。これらのパターンは過去の設計履歴から抽出されたもので、コーナ形状パターンテーブル３４に典型的なパターンが記憶されている。さらに、コーナ形状パターンテーブル３４の各パターンは、選択された時に画面上に既に表示されている線図に合わせてパターンを作図するためのデータを含んでいる。
【００１８】
端部形状パターンテーブル３５の例が図１３に示される。
端部形状パターンテーブル３５は、番号、図、パラメータ、説明を含む。番号毎に、桁の端部形状のパターンが登録され、各パターンに必要なパラメータ、説明が各欄に記載されている。端部形状形状パターンは、基準点または線から指定の距離離し、かつ他の基準面から指定の間隔をあけるパターン、基準点または線から指定の距離離し、かつ他の基準面に接するパターン、さらに端点に指定の径を付けるパターン、さらに、基準面の板厚を考慮するパターンまたは考慮しないパターン、その他、端点の位置や部位を指定するパターン、溶接方法の指定を含むパターン、基準面や基準点に対する角度を指定するパターンなど多数を含む。これらのパターンは過去の設計履歴から抽出されたもので、端部形状パターンテーブル３５に典型的なパターンが記憶されている。さらに、端部形状パターンテーブル３５の各パターンは、選択された時に画面上に既に表示されている線図に合わせてパターンを作図するためのデータを含んでいる。
【００１９】
船舶全体図３６は、３次元ＣＡＤで作成された図面または３次元情報を持つ２次元図としてＣＡＤで作成された図面で、設計する船の船体の構成、主要部材の構成を含む。船舶全体図３６は、桁設計を行なう前に作成され、記憶部３または演算部２から検索可能な記憶装置に記憶されている。演算部２は、船舶用ＣＡＤプログラム３１により、船舶全体図３６から、使用者が指定した桁を設置する部分を抽出し、桁を設置する主要部材の図面を表示部４の画面上に表示するように制御することができる。
【００２０】
次に、本船殻桁形状設計図作成システムで、桁設計図の作成を行なうフローを示す図８及び図９と、作成の過程で表示部４に表示される画面の例を示す図２〜図６を参照しながら、桁設計図の作成手順を説明する。
【００２１】
使用者が、船舶用ＣＡＤプログラム３１の起動命令を入力すること（図８、Ｓｐ１）で、演算部２が船舶用ＣＡＤプログラム３１を起動する（Ｓｃ１）。使用者は、船舶全体図３６から桁を設定する範囲を選択して入力する（Ｓｐ２）。演算部２は、船舶全体図３６のデータから作図範囲を読み込み（Ｓｃ２）、作図範囲を表示部４に表示するように制御する（Ｓｃ３）。
【００２２】
表示部４に表示される画面１０の例が図２に示される。本例で作図範囲は、側板Ｈ１、第１デッキＤ１、第２デッキＤ２、長手方向垂直板Ｖ１として表示されている。その他、画面中に桁設計のための各形状パターンのサマリーまたはテーブルを表示させるためのボタン群Ｂ０が表示される。
【００２３】
使用者は、初めに桁形状パターンを選択するため、桁形状パターン表示ボタンＢ１を選択する（図８、Ｓｐ３）。桁形状パターン表示ボタンＢ１が選択されることにより、演算部２が桁形状パターンテーブル３２の一部を抽出して、画面１０上に、桁形状のパターンのサマリーもしくはテーブルを含むウインドウＰ１が表示される（Ｓｃ４）。本例では、各桁形状パターンの概要図が表示されている例が示されているが、パターンを選択できるものであれば、番号や図の表示でもよい。
さらに、本例では各桁形状パターンの内容を表示するため、各パターンの欄に説明ボタン１２が設置されている。説明ボタン１２をクリックすると、桁形状パターンテーブル３２の説明の欄が表示される。
【００２４】
使用者は、表示された桁形状パターンから適用するパターンを選択する（Ｓｐ４）。選択は、適用するパターンの表示の上に、入力部５（マウス）で画面１０上のカーソル１１を移動させ、クリックすることにより行なわれることが好ましい。
一つの桁形状パターンが選択されると、演算部２は、桁形状パターンテーブル３２からそのパターンのデータを抽出し、選択された桁形状パターンを図３の様に表示する（Ｓｃ５）。本例では、上辺、左側辺、右側辺に対して桁を設置するパターンが選択され、上辺桁Ｓ２、左側辺桁Ｓ１、右側辺Ｓ３が表示された例が示される。
【００２５】
使用者は、次に辺形状パターンを選択するため、辺形状パターン表示ボタンＢ２を選択する（図８、Ｓｐ５）。
図４に示されるように、辺形状パターン表示ボタンＢ２が選択されることにより、演算部２が辺形状パターンテーブル３３の一部を抽出して、画面１０上に、辺形状のパターンのサマリーもしくはテーブルを含むウインドウＰ２が表示される（Ｓｃ６）。
本例では、各辺形状パターンの概要図が表示されている例が示されているが、パターンを選択できるものであれば、番号や図の表示でもよい。
さらに、本例では各辺形状パターンの内容を表示するため、各パターンの欄に説明ボタン１３が設置されている。説明ボタン１３をクリックすると、辺形状パターンテーブル３３の説明の欄が表示される。
【００２６】
使用者は、設定する辺と、表示された辺形状パターンから当該辺に適用するパターンを選択する（Ｓｐ６）。選択は、設定する辺にカーソル１１を移動させクリックし、さらに適用するパターンの表示の上に、カーソル１１を移動させ、クリックすることにより行なわれることが好ましい。選択された辺は表示色が変更されることが好ましい。
選択された辺形状パターンを設定する場合に、パラメータの入力が必要な場合、パラメータ入力用の表Ｔ２が表示される。パラメータ入力用の表Ｔ２には、入力されるべきパラメータを表示する記号が表示されている。
使用者が必要なパラメータを表Ｔ２に入力する（Ｓｐ７）。
演算部２は、入力されたパラメータと辺形状パターンテーブル３３から当該パターンのデータを抽出し、選択された辺の形状を表示する（Ｓｃ８）。
使用者は各辺毎に、辺形状パターンの選択を行なう。
【００２７】
使用者は、次にコーナ形状パターンを選択するため、コーナ形状パターン表示ボタンＢ３を選択する（図９、Ｓｐ８）。図５に示されるように、コーナ形状パターン表示ボタンＢ３が選択されることにより、演算部２がコーナ形状パターンテーブル３４の一部を抽出して、画面１０上に、コーナ形状のパターンのサマリーもしくはテーブルを含むウインドウＰ３が表示される（Ｓｃ９）。本例では、各コーナ形状パターンの概要図が表示されている例が示されているが、パターンを選択できるものであれば、番号や図の表示でもよい。
さらに、本例では各コーナ形状パターンの内容を表示するため、各パターンの欄に説明ボタン１４が設置されている。説明ボタン１４をクリックすると、コーナ形状パターンテーブル３４の説明の欄が表示される。
【００２８】
使用者は、設定するコーナＣ１〜４の一つと、表示されたコーナ形状パターンから当該コーナに適用するパターンを選択する（Ｓｐ９）。選択は、設定するコーナにカーソル１１を移動させクリックし、さらに適用するパターンの表示の上に、カーソル１１を移動させ、クリックすることにより行なわれることが好ましい。
選択されたコーナ形状パターンを設定するためにパラメータの入力が必要な場合、パラメータ入力用の表Ｔ３が表示される。パラメータ入力用の表Ｔ３には、入力されるべきパラメータを表示する記号が表示されている。
使用者が必要なパラメータを表Ｔ３に入力する（Ｓｐ１０）。
演算部２は、入力されたパラメータとコーナ形状パターンテーブル３４からそのパターンのデータを抽出し、選択されたコーナの形状を表示する（Ｓｃ１１）。
使用者は、各コーナ毎に、コーナ形状パターンの選択を行なう。
【００２９】
使用者は、次に端部形状パターンを選択するため、端部形状パターン表示ボタンＢ４を選択する（図９、Ｓｐ１１）。図６に示されるように、端部形状パターン表示ボタンＢ４が選択されることにより、演算部２が端部形状パターンテーブル３５の一部を抽出して、画面１０上に、端部形状のパターンのサマリーもしくはテーブルを含むウインドウＰ４が表示される（Ｓｃ１２）。本例では、各端部形状パターンの概要図が表示されている例が示されているが、パターンを選択できるものであれば、番号や図の表示でもよい。
さらに、本例では各端部形状パターンの内容を表示するため、各パターンの欄に説明ボタン１５が設置されている。説明ボタン１５をクリックすると、端部形状パターンテーブル３５の説明の欄が表示される。
【００３０】
使用者は、設定する端部と、表示された端部形状パターンから当該端部に適用するパターンを選択する（Ｓｐ１２）。選択は、設定する端部にカーソル１１を移動させクリックし、さらに適用するパターンの表示の上に、カーソル１１を移動させ、クリックすることにより行なわれることが好ましい。
選択された端部形状パターンを設定する場合にパラメータの入力が必要な場合、パラメータ入力用の表Ｔ４が表示される。パラメータ入力用の表Ｔ４には、入力されるべきパラメータを表示する記号が表示されている。
使用者が必要なパラメータを表Ｔ４に入力する（Ｓｐ１３）。
演算部２は、入力されたパラメータと端部形状パターンテーブル３５からそのパターンのデータを抽出し、選択された端部の形状を表示する（Ｓｃ１４）。
使用者は各端部毎に、端部形状パターンの選択を行なう。
【００３１】
以上のように順を追って桁の設計が行なわれる。以上の様にパターンの選択とパラメータの入力だけで作図が可能となり、線を引く必要がないので簡単かつ迅速に桁の設計図作成が可能となる。
【００３２】
さらに、このように入力された各形状の線図は、線だけでなく各種のパラメータを属性として持つ。このため、基準となる部材（桁が設置される部材）が変更された場合に、桁の各形状を再度入力しなくても基準の変更に伴って、自動的に線図を変更することができる。
【００３３】
具体的に基準が変更された場合の例が、図７を参照して説明される。
図７は、端部Ｅ１が第２デッキＤ２上面に対して間隔Ａを開けて作図される場合の例が示される。第２デッキＤ２の表示線に属性付けられている板かわしが、当初は、線に対して下に設定されていた場合、板厚ｔは線より下になるので、図７（Ａ）に示されるように端部Ｅ１の端点が線に対して間隔Ａだけ上に作図される。
しかし、図７（Ｂ）に示されるように板かわしが線から上に変更になった場合、端部Ｅ１の端点は線に対して間隔Ａと板厚ｔだけ上に作図される必要がある。
従って、第２デッキＤ２の表示線の板かわしが変更された場合、端部に属性付けられたパターンとパラメータにより、変更に伴って端部の線図が変更されることが好ましい。この変更は、使用者の指示により行われる、もしくは基準の変更により自動的に行なわれるよう設定できることが好ましい。本発明のように、線図に基準から作図するように属性が付けられていれば、再度作図することなく、自動、もしくは半自動的に修正することができる。
このように、基準の変更を簡単にフォローすることができるため、図面修正の工数を大幅に削減することができる。
【００３４】
さらに、パターンにない各部分形状を記載する必要性が生じた場合は、システム側で作図し、パターンテーブルに登録後、使用することができる。
【００３５】
上記で使用されている各種のパターンは、過去の船殻桁形状設計事例を分析し、基本パターンとして抽出、分類、整理したものである。さらに、複雑な桁設計を桁形状、辺形状、コーナ形状、端部形状に階層化し、基本パターンの組み合わせにより表現している。このことにより、複雑、多様な桁の形状に対応することができる。
【００３６】
さらに、ユーザが、各階層のパターンの組み合わせを登録しておき、再利用すれば、さらに設計の工数を削減できる。同じ船舶内で類似した形状の桁を多数設計する時に有効である。
【００３７】
【発明の効果】
本発明の船殻桁形状設計図作成システムは、簡単にかつ迅速に桁設計図を作成することができる。
さらに、本発明の船殻桁形状設計図作成システムは、桁の設計図に関係を持つ部位に設計変更があった場合、容易に関係する桁設計図の修正をすることができる。
【図面の簡単な説明】
【図１】図１は、船殻桁形状設計図作成システムの構成を示す。
【図２】図２は、桁設計図の作成の過程で表示部に表示される画面の例を示す。
【図３】図３は、桁設計図の作成の過程で表示部に表示される画面の例を示す。
【図４】図４は、桁設計図の作成の過程で表示部に表示される画面の例を示す。
【図５】図５は、桁設計図の作成の過程で表示部に表示される画面の例を示す。
【図６】図６は、桁設計図の作成の過程で表示部に表示される画面の例を示す。
【図７】図７は、端部が第２デッキ上面に対して間隔を開けて設置される場合の例を示す。
【図８】図８は、桁設計図の作成のフローを示す。
【図９】図９は、桁設計図の作成のフローを示す（図８のつづき）
【図１０】図１０は、桁形状パターンテーブルの例を示す。
【図１１】図１１は、辺形状パターンテーブルの例を示す。
【図１２】図１２は、コーナ形状パターンテーブルの例を示す。
【図１３】図１３は、端部形状パターンテーブルの例を示す。
【符号の説明】
１　船殻桁形状設計図作成システム
２　演算部
３　記憶部
４　表示部
５　入力部
１０　画面
１１　カーソル
１２〜１５　説明ボタン
２１　ＣＰＵ
３１　船舶用ＣＡＤプログラム
３２　桁形状パターンテーブル
３３　辺形状パターンテーブル
３４　コーナ形状パターンテーブル
３５　端部形状パターンテーブル
３６　船舶全体図
Ｂ０　ボタン群
Ｂ１　桁形状パターン表示ボタン
Ｂ２　辺形状パターン表示ボタン
Ｂ３　コーナ形状パターン表示ボタン
Ｂ４　端部形状パターン表示ボタン
Ｄ１　第１デッキ
Ｄ２　第２デッキ
Ｈ１　側板
Ｖ１　長手方向垂直板
Ｓ１　左側辺桁
Ｓ２　上辺桁
Ｓ３　右側辺桁
Ｃ１〜Ｃ４　コーナ
Ｅ１、Ｅ２　端部
Ｐ１〜Ｐ４　ウインドウ
Ｔ２〜Ｔ４　パラメータ入力用の表
Ａ　間隔
ｔ　板厚
【図１】
2004046520.tif 000003
【図２】
2004046520.tif 000004
【図３】
2004046520.tif 000005
【図４】
2004046520.tif 000006
【図５】
2004046520.tif 000007
【図６】
2004046520.tif 000008
【図７】
2004046520.tif 000009
【図８】
2004046520.tif 000010
【図９】
2004046520.tif 000011
【図１０】
2004046520.tif 000012
【図１１】
2004046520.tif 000013
【図１２】
2004046520.tif 000014
【図１３】
2004046520.tif 000015